(57)【要約】【課題】  複数の端末から入力された画像を合成して投影するだけでなく、画像を入力した各端末に合成画像をそのまま出力することのできる投影装置を提供する。【解決手段】  投影装置（７）は、複数の端末（２〜５）からの画像データを入力可能な入力手段（７ａ）と、前記入力手段に入力された画像から、入力された画像を全て表示するためのレイアウト画像を生成するレイアウト画像生成手段（７ｂ）と、前記レイアウト画像生成手段により生成されたレイアウト画像を投影する投影手段（７ｆ）と、前記レイアウト画像生成手段により生成されたレイアウト画像を、前記複数の端末へ出力する出力手段（７ｂ）とを備える。【選択図】  図２
2008118317.tif 000002
【特許請求の範囲】
【請求項１】
複数の端末からの画像データを入力可能な入力手段と、
前記入力手段に入力された画像から、入力された画像を全て表示するためのレイアウト画像を生成するレイアウト画像生成手段と、
前記レイアウト画像生成手段により生成されたレイアウト画像を投影する投影手段と、
前記レイアウト画像生成手段により生成されたレイアウト画像を、前記複数の端末へ出力する出力手段と
を備えることを特徴とする投影装置。
【請求項２】
さらに、前記レイアウト画像生成手段により生成されたレイアウト画像を記録する記録手段を備えることを特徴とする請求項１に記載の投影装置。
【請求項３】
前記記録手段への記録は、前記画像の変化が所定以上あった時にのみ行なうことを特徴とする請求項２に記載の投影装置。
【請求項４】
さらに、前記複数の端末からの画像は、それぞれの端末のデスクトップ画像であることを特徴とする請求項１乃至３いずれかに記載の投影装置。
【請求項５】
さらに、前記複数の端末からの指示により、前記レイアウト画像のレイアウトを変更可能に構成するレイアウト変更手段を備えることを特徴とする請求項１乃至４いずれかに記載の投影装置。
【請求項６】
さらに、端末毎にポインタを表示すると共に、ポインタの横にメッセージを入力可能に構成するポインタ表示手段を備えることを特徴とする請求項１乃至５いずれかに記載の投影装置。
【発明の詳細な説明】
【技術分野】
【０００１】
本発明は、プロジェクタ等の投影装置に関し、詳しくは、複数の端末から出力された各画像を合成するなどして同時並行的にスクリーン等に拡大投影できる投影装置に関する。
【背景技術】
【０００２】
一般的にプロジェクタ等の投影装置（以下、プロジェクタという。）は、１台の端末（典型的にはパソコン；以下、パソコンで代表する。）と対で使用されることが多いが、場合によっては、１対多の使用、すなわち、複数台のパソコンで共同使用されることがある。このような１対多の使用状況においては、複数のパソコンからの画像を適宜に切り替える必要があり、たとえば、プロジェクタと複数のパソコンとの間に信号切り換え器を設けたりしなければならず、使い勝手が悪くなるという不都合がある。
【０００３】
かかる不都合を解決する技術としては、たとえば、複数の端末（パソコン等）から入力された画像を合成して投影するようにした技術（以下、第一の従来技術という。）が知られている（特許文献１参照）。
【０００４】
ところで、この第一の従来技術にあっては、複数の端末から入力された画像を合成して投影することができるため、前記の不都合、すなわち、プロジェクタと複数のパソコンとの間に信号切り換え器を設ける必要が無く、使い勝手を向上できるという利点があるものの、単に、複数の端末から入力された画像を合成して投影するだけのものに過ぎないので、たとえば、その合成画像を記録して保存することができないという欠点がある。
【０００５】
投影画像の記録保存に関する技術としては、たとえば、画像を投影しながら、その投影画像をカメラ等の撮像装置で撮影して記録保存できるようにした技術（以下、第二の従来技術という。）が知られている（特許文献２参照）。
【０００６】
【特許文献１】特開２００４−３１７５８３号公報
【特許文献２】特開平１１−０４４９１２号公報
【発明の開示】
【発明が解決しようとする課題】
【０００７】
しかしながら、この第二の従来技術にあっては、投影画像をカメラ等で撮像して記録保存しているため、記録保存される画像の画質が、カメラ等の撮像装置の撮影性能（画素数等）に依存することとなり、結局、投影画像の元画像（原稿等）の画質と比較して、低品質の画像しか記録保存できないという課題がある。しかも、第二の従来技術にあっては、前述の「１対多の使用」を考慮していないため、複数の端末からの画像を同時に投影しつつ、その投影画像を記録することができないという課題もある。
【０００８】
そこで、本発明の目的は、複数の端末から入力された画像を合成して投影するだけでなく、画像を入力した各端末に合成画像をそのまま出力することのできる投影装置を提供することにある。
【課題を解決するための手段】
【０００９】
請求項１に記載の発明は、複数の端末からの画像データを入力可能な入力手段と、前記入力手段に入力された画像から、入力された画像を全て表示するためのレイアウト画像を生成するレイアウト画像生成手段と、前記レイアウト画像生成手段により生成されたレイアウト画像を投影する投影手段と、前記レイアウト画像生成手段により生成されたレイアウト画像を、前記複数の端末へ出力する出力手段とを備えることを特徴とする投影装置である。
請求項２に記載の発明は、さらに、前記レイアウト画像生成手段により生成されたレイアウト画像を記録する記録手段を備えることを特徴とする請求項１に記載の投影装置である。
請求項３に記載の発明は、前記記録手段への記録は、前記画像の変化が所定以上あった時にのみ行なうことを特徴とする請求項２に記載の投影装置である。
請求項４に記載の発明は、さらに、前記複数の端末からの画像は、それぞれの端末のデスクトップ画像であることを特徴とする請求項１乃至３いずれかに記載の投影装置である。
請求項５に記載の発明は、さらに、前記複数の端末からの指示により、前記レイアウト画像のレイアウトを変更可能に構成するレイアウト変更手段を備えることを特徴とする請求項１乃至４いずれかに記載の投影装置である。
請求項６に記載の発明は、さらに、端末毎にポインタを表示すると共に、ポインタの横にメッセージを入力可能に構成するポインタ表示手段を備えることを特徴とする請求項１乃至５いずれかに記載の投影装置である。
【発明の効果】
【００１０】
本発明では、複数の端末から入力された画像を合成して投影するだけでなく、画像を入力した各端末に合成画像をそのまま出力することができる。
【発明を実施するための最良の形態】
【００１１】
以下、本発明の実施形態を、プロジェクタへの適用を例にして、図面を参照しながら説明する。なお、以下の説明における様々な細部の特定ないし実例および数値や文字列その他の記号の例示は、本発明の思想を明瞭にするための、あくまでも参考であって、それらのすべてまたは一部によって本発明の思想が限定されないことは明らかである。また、周知の手法、周知の手順、周知のアーキテクチャおよび周知の回路構成等（以下「周知事項」）についてはその細部にわたる説明を避けるが、これも説明を簡潔にするためであって、これら周知事項のすべてまたは一部を意図的に排除するものではない。かかる周知事項は本発明の出願時点で当業者の知り得るところであるので、以下の説明に当然含まれている。
【００１２】
図１は、実施形態の使用状態例を示す図である。この図において、テーブル１には、端末としての複数台（ここでは便宜的に４台）のパソコン２〜５と、これらのパソコン２〜５から出力された画像（デスクトップ画像等）をスクリーン６に拡大投影する投影装置としてのプロジェクタ７とが載置されている。なお、４人の人物８〜１１は、それぞれパソコン２〜５の操作者であるが、そのうちプロジェクタ７に近い人物（この図では人物８又は人物１０）は、プロジェクタ７の操作者も兼ねるものとする。
【００１３】
図２（ａ）は、プロジェクタ７の簡略ブロックを示す図であり、図２（ｂ）は、パソコン２〜５の簡略ブロックを示す図である。これらの図において、プロジェクタ７は、無線ＬＡＮやブルーツースあるいは赤外線等によって他の機器との間でデータを送受信するワイヤレスインターフェース部７ａ、マイクロプロセッサユニット（以下、ＣＰＵ）７ｂ、不揮発性半導体メモリ（以下、ＲＯＭ）７ｃ、揮発性半導体メモリ（以下、ＲＡＭ）７ｄ、表示画像を保持するフレームメモリ部７ｅ及びフレームメモリ７ｅに保持されている画像をスクリーン６に拡大投影する投影部７ｆを備える。また、パソコン２〜５（以下、パソコン２で代表する。）は、キーボード部２ａ、マウス等のポインティングデバイス部２ｂ、液晶ディスプレイ等の表示部２ｃ、ハードディスク等の大容量記憶装置からなる記憶部２ｄ、ＣＰＵ２ｅ、ＲＡＭ２ｆ及びワイヤレスインターフェース部２ｇを備える。
【００１４】
パソコン２は、記憶部２ｄに予め格納されているソフトウエアリソース（オペレーティングシステムやそのオペレーティングシステム上で動作する各種制御プログラム等）をＲＡＭ２ｆにロードし、それをＣＰＵ２ｅで実行することによって、様々な処理機能を実現することができるようにした汎用の情報処理装置であり、本実施形態においては、特に、プロジェクタ７に対し、任意の画像（たとえば、デスクトップ画像等）を出力して、その画像をスクリーン６に拡大投影させることができる処理機能を有するものである。なお、本実施形態のパソコン２〜５は、持ち運び可能なノート型の形状をなしているが、これに限定されない。デスクトップ等の他の形状のものであってももちろん構わない。また、本実施形態のパソコン２〜５は、無線ＬＡＮやブルーツースあるいは赤外線等によるワイヤレス通信によって、プロジェクタ７に対し任意の画像を出力するものであるが、これはデータ通信の一形態を示しているに過ぎず、有線によるデータ通信を排除しない。
【００１５】
＜本実施形態の第一の機能＞
本実施形態におけるプロジェクタ７は、複数台（例：４台）のパソコン２〜５との共用が可能であり、これは、冒頭で説明した１対多の使用に相当するが、まず、解説の都合上、１対１の使用、たとえば、プロジェクタ７とパソコン２のみの使用を想定する。この場合、プロジェクタ７は、パソコン２から出力された画像をそのままスクリーン６に拡大投影すればよく、特段の不都合は生じない。しかし、１対多の使用、すなわち、複数台（例：４台）のパソコン２〜５で１台のプロジェクタ７を共有する場合、それぞれのパソコン２〜５から適宜に出力される画像を切り替えながら拡大投影する必要があり、使い勝手が悪くなる。
【００１６】
このことを具体例を挙げて説明すると、たとえば、図１において、人物８が自分のパソコン２を操作してプロジェクタ７に画像を出力し、その画像をスクリーン６に拡大投影しているときに、他の人物９が自分のパソコン３を操作してプロジェクタ７に画像を出力したとしよう。この場合、人物９の画像をスクリーン６に投影するためには、プロジェクタ７で入力画像を切り替えなければならず、又は、別途に画像切り換え器等を用意して入力画像を切り替えなければならず、いずれの場合も操作上の面倒を否めない。しかも、画像の切り替えでは、特定のパソコンの画像しかスクリーン６に拡大投影することができないので、いわゆる画像の排他的利用になってしまい、会議等の進行に支障を来すこともある。
【００１７】
そこで、本実施形態の第一の機能では、複数の端末（パソコン２〜５）から入力された画像を見やすくレイアウトして同時にスクリーン６に拡大投影することができる技術を開示する。
【００１８】
図３は、本実施形態の第一の機能に係る制御プログラムの簡略フローを示す図である。この制御プログラムは、プロジェクタ７のＲＯＭ７ｃに予め格納されており、定期的にプロジェクタ７のＲＡＭ７ｄにロードされ、プロジェクタ７のＣＰＵ７ｂによって実行されるようになっている。
【００１９】
この制御プログラムを開始すると、まず、各パソコン２〜５からの画像を読み込む（ステップＳ１１）。そして、たとえば、先の特許文献１の技術（第一の従来技術）を利用するなどして、各パソコン２〜５から読み込んだ画像の合成画像を生成し、その合成画像をスクリーン６に拡大投影する（ステップＳ１２）。
【００２０】
図４は、合成画像を示す図である。この図において、投影画像１２は、各パソコン２〜５から読み込んだ４枚の画像（以下、第１画像１３、第２画像１４、第３画像１５及び第４画像１６）を合成した画像である。図示の例では、第４画像１６、第３画像１５、第２画像１４、第１画像１３の順に下から上へと積層された合成画像が示されており、この積層順は、たとえば、画像の読み込み順である。
【００２１】
このようにして、各パソコン２〜５から読み込んだ各画像の合成画像を拡大投影すると、次に、本実施形態の特徴である「スタイルシート」の指定の有無を判定する（ステップＳ１３）。ここで、スタイルシートとは、各パソコン２〜５から読み込んだ各画像をどのようにレイアウトするかを定義した定形シートのことであり、本実施形態の第一の機能では、複数のスタイルシートを予めプロジェクタ７のＲＯＭ７ｃに格納しておき、ユーザの所望に応じて、そのうちの一つのスタイルシートを自由に選択できるようにしている。
【００２２】
図５は、複数のスタイルシートの例を示す図であり、この図においては、（ａ）〜（ｅ）の５つのスタイルシートの例が示されている。すなわち、（ａ）のスタイルシート（以下、スタイルシートＡという。）１７は、一つの拡大画像１８と、その左側に上下に配列された複数のサムネイル画像１９〜２１とから構成されており、（ｂ）のスタイルシート（以下、スタイルシートＢという。）２２は、中央に配置された一つの拡大画像２３と、その両側のコーナ部分にに配置された複数のサムネイル画像２４〜２７とから構成されている。また、（ｃ）のスタイルシート（以下、スタイルシートＣという。）２８は、一つの拡大画像２９と、その右側に上下に配列された複数のサムネイル画像３０〜３２とから構成されており、（ｄ）のスタイルシート（以下、スタイルシートＤという。）３３は、“田”の字状に区切られた４つの升目の各々に配置された４つの拡大画像３４〜３７で構成されている。また、（ｅ）のスタイルシート（以下、スタイルシートＥという。）３８は、複数の拡大画像３９〜４１を積層配置すると共に、各々の拡大画像３９〜４１にタブ４２〜４４を設け、任意のタブを選択することにより、その選択タブの拡大画像が最上位に位置するように構成されている。
【００２３】
スタイルシートの指定の仕方はいろいろ考えられるが、たとえば、パソコン２〜５のいずれかのポインタ情報（マウス等のポインティングデバイスの操作情報；カーソル情報ともいう。）をプロジェクタ７に送って、そのポインタをスクリーン６に投影させると共に、当該ポインティングデバイスのクリック操作（たとえば、右クリック操作等）に応答させて、スタイルシートの選択リストをスクリーン６に投影し、そのリスト内から所望のスタイルシートを選択するようにしてもよい。
【００２４】
図６は、スタイルシートの選択リストを示す図である。この図において、選択リスト４５には、前記の図５で例示した５つのスタイルシートの名前、すなわち、スタイルシートＡ、スタイルシートＢ、スタイルシートＣ、スタイルシートＤ、スタイルシートＥが一覧表示されており、黒く塗りつぶした状態で現在選択中のスタイルシート（この例では、スタイルシートＢ）が明示されている。たとえば、新たにスタイルシートＡを指定する場合は、ポインタ４５ａをスタイルシートＡの上に移動させ、左クリック操作を行えばよい。以下、スタイルシートＡを指定したものとして説明を続ける。
【００２５】
再び、図３において、スタイルシートの指定を判定すると、次に、指定されたスタイルシートの定義情報（この場合、スタイルシートＡの定義情報）をＲＯＭ７ｃから読み出し（ステップＳ１４）、各パソコン２〜５からの画像をその定義情報に従ってレイアウト（ステップＳ１５）した後、そのレイアウト済みの画像をスクリーン６に拡大投影する（ステップＳ１６）。
【００２６】
図７は、スタイルシートを用いてレイアウトされた投影画像を示す図であり、ここでは、スタイルシートＡに従ってレイアウトされた投影画像１２が示されている。すなわち、投影画像１２は、一つの拡大画像４６と、その左側に上下に配列された３つのサムネイル画像４７〜４９とから構成されている。
【００２７】
以上のとおり、本実施形態の第一の機能では、プロジェクタ７のＲＯＭ７ｃに予め複数のスタイルシート（スタイルシートＡ〜Ｅ）の定義情報を格納しておき、且つ、それらのスタイルシートを任意に選択し得るように構成すると共に、各パソコン２〜５から読み込んだ画像を、選択したスタイルシートに従ってレイアウトしてスクリーン６に拡大投影できるようにしたから、以下の特有の効果を得ることができる。
【００２８】
すなわち、図４に示すように、各パソコン２〜５から読み込んだ画像を、単にマルチウィンドウの形式で表示しただけでは、各ウィンドウを自由自在に操作できるという点では好ましいものの、実際にはそのような手間を省いて固定的に使いたい、あるいは目的に応じて決められてフォーマットで操作したいという要求があるのもまた事実であるが、本実施形態の第一の機能では、こうした要求に充分に応えることができる。つまり、複数個の予め定義された表示形式（スタイルシートＡ〜Ｅ）に従って、各ウィンドウを適切にフォーマットして表示できるようにすると共に、表示形式（スタイルシートＡ〜Ｅ）そのものをユーザが自由に選択できるようにしたので、上記の要求に充分に応えることができるのである。
【００２９】
具体的には、図６に示すようにリモコン等の操作によりメニュー（選択リスト４５）を表示させ、ポインタで選択されたスタイルに瞬時に表示レイアウトを変更して、たとえば、図７のような表示に変更するようにしたものである。ただし、図７のレイアウトはあくまで一例である。実用上は、図５に示すように予め定義されたスタイルシートを複数用意し、ユーザの希望のスタイルをメニューにより選択させるようにすることが望ましい。
【００３０】
また、スタイルシートは、ユーザが自由に定義できる（カスタマイズ）ような仕組みとすることが望ましい。つまり、図５に示す５つ以外のスタイルを自由に登録選択できるようにすることが望ましく、そのためには、たとえば、パソコン等でスタイルシートの作成ツールを構築し、そこで作成したスタイル定義データをプロジェクタ７へ転送する仕組み（ＵＳＢメモリーやＬＡＮ経由等）を構成してもよい。
【００３１】
また、スタイルの選択は、パソコン２〜５からのコマンド指令であってもよく、あるいは、プロジェクタ７のパネル操作（又はプロジェクタ７に付属のリモコン操作）で行ってもよい。
【００３２】
なお、以上の説明では、スタイルシートに従ってレイアウトされた画像の表示順については特に言及していないが、状況によっては、拡大投影する画像（図７の拡大画像４６参照）を所望の画像と入れ替えたい場合が当然あり得る。図３のステップＳ１７及びステップＳ１８は、そのための処理を行う部分である。すなわち、画像入れ替え指定の有無を判定し（ステップＳ１７）、その判定結果が肯定の場合に、拡大投影画像（図７の拡大画像４６参照）と指定された画像とを入れ替える（ステップＳ１８）という処理を行い、終了操作が判定されるまで（ステップＳ１９）、それらのステップＳ１７、Ｓ１８を繰り返すという部分である。
【００３３】
図８は、画像の入れ替えを示す図である。この図において、（ａ）のハッチング画像（一番上のサムネイル画像４７）は、画像入れ替えの対象として指定された画像である。このようにして画像が指定されると、（ｂ）に示すように、サムネイル画像４７と拡大画像４６との画面の入れ替え（スワップ）が行われるようになっている。このように、本実施形態においては、スタイルの定義は画面の静的なレイアウトだけでなくポインタの操作による動的な表示の変更も含んでいることに注意が必要である。たとえば、スタイルＥではタブ４２〜４５のいずれかをクリックすると表示が切り替わるという具合である。
【００３４】
以上のとおり、本実施形態の第一の機能では、目的に応じてスクリーン上の表示レイアウトを瞬時に切り替えることができるようにしたため、わざわざポインタを駆使して画面のレイアウトを変更するという手間を軽減し、会議に水をさすことなく、スムーズに議事進行ができるという利点がある。また、今現在議論となっている画像の優先度（重要度）等が明確になるので、ミーティングにおける会議がより活性化されることが期待できるというメリットもある。
【００３５】
＜本実施形態の第二の機能＞
ところで、プロジェクタ７を用いて会議等を行っている際に、しばしば、スクリーン６に投影された画像にコメント等を書き込むことが求められる状況が起こりえる。このような場合、スクリーン６を“ホワイトボード”とすれば、ペン等を用いて直接的にコメントを書き込むことができるが、スクリーン６の場合は（スクリーン６が汚れるので）、そのような方法をとることができない。また、“ホワイトボード”であっても、画像を切り替えた際に書き込まれたコメントが残ったままであると、表示が見苦しくなるため、いちいちコメントを消さなければならず、手間がかかるという不都合がある。
【００３６】
なお、パソコンのパワーポイント（マイクロソフト社の登録商標）というアプリケーションでは、自分が投影している画像に対して、マウス操作により任意の直線描画が可能となっており、それにより手書きの文字を投影面に電子的に書き込めるようになっている。しかし、これはあくまで自分が投影している画像に対してであり、他の人の投影画像に対して文字を書き込むということはできないものである。ところが、現実のミーティングでは、複数の人間たちが投影されている画像に対して各人が自分の考えを書き込みたいという欲求が潜在している。このような場合には上記のツール（パワーポイント）は役立たない。
【００３７】
そこで、本実施形態の第二の機能においては、プロジェクタ７の投影画面に、誰でも自由に文字や図形を電子的に書き込みができるような環境を提供する。
【００３８】
第二の機能におけるシステム構成は、前記の第一の機能のものと同様であり、必要に応じて、前記の第一の機能の構成（図１、図２）を参照するものとする。
【００３９】
すなわち、本実施形態の第二の機能でもパソコン２〜５とプロジェクタ７をネットワークで接続（有線／無線どちらでも可能だが、ここでは無線とする。）する点で前記の第一の機能と同様であり、相違は、パソコン２〜５に接続されているポインティングデバイス（タッチパッドやマウス）を操作することにより、プロジェクタ７から投影されたスクリーン６上の画像の任意の位置に所望の文字や図形を表示描画できるように構成した点にある。
【００４０】
図９は、パソコン２〜５の表示部２ｃに表示されているアプリケーション画面を示す図である。この図において、パソコン２〜５の表示部２ｃの表示画面５０には、専用のアプリケーション画面５１が表示されており、このアプリケーション画面５１は、文字列入力用のテキストボックス５２と、そのテキストボックス５２に入力された任意の文字列（ここでは、便宜的に“○○××△△”とする。）をプロジェクタ７に送信するための送信ボタン５３と、予め設定された複数の定型句を選択するためのリストボックス５４と、そのリストボックス５４で選択された定型句をプロジェクタ７に送信するための送信ボタン５５と、文字列又は定型句の色を指定するためのリストボックス５６と、文字サイズを指定するためのリストボックス５７と、クリップボードの文字を送信するための送信ボタン５８と、任意のイメージファイルを選択するためのリストボックス５９と、そのリストボックス５９で選択されたイメージファイルをプロジェクタ７に送信するための送信ボタン６０とを備えて構成されている。
【００４１】
このアプリケーション画面５１によれば、送信ボタン５３をクリックすることにより、テキストボックス５２に入力された任意の文字列をプロジェクタ７に送信することができる。または、送信ボタン５５をクリックすることにより、リストボックス５４で選択された定型句をプロジェクタ７に送信することができる。または、送信ボタン５８をクリックすることにより、クリップボードに取り込まれた文字列をプロジェクタ７に送信することができる。または、送信対象の文字の色やサイズを指定することができる。または、送信ボタン６０をクリックすることにより、リストボックス５９で選択されたイメージファイルをプロジェクタ７に送信することができる。
【００４２】
図１０は、アプリケーション画面５１を実行中のパソコン２〜５の動作フローを示す図である。この図において、パソコン２〜５は、まず、送信ボタン５３、５５、５８、６０のいずれかがクリックされたか否かを判定する（ステップＳ２１）。そして、その判定結果が肯定であれば、クリックされた送信ボタンに対応した送信処理を実行する（ステップＳ２２）。つまり、送信ボタン５３のクリックであれば、テキストボックス５２に入力された文字列をプロジェクタ７に送信し、あるいは、送信ボタン５５のクリックであれば、リストボックス５４で選択された定型句をプロジェクタ７に送信し、あるいは、送信ボタン５８のクリックであれば、クリップボードの文字列をプロジェクタ７に送信し、あるいは、送信ボタン６０のクリックであれば、リストボックス５９で選択されたイメージファイルをプロジェクタ７に送信する。また、その際に、文字列や定型句に対して文字色や文字サイズといった文字属性が指定されていれば、それらの文字属性もプロジェクタ７に送信する。
【００４３】
このようにして、文字列、定型句、文字属性、クリップボードの文字或いはイメージファイルのプロジェクタ７への送信を完了すると、次に、プロジェクタ７のポインタを操作し（ステップＳ２３）、スクリーン６上の所望の位置にポインタを移動する。そして、所望の位置にポインタが移動したならば（ステップＳ２４の“ＹＥＳ”）、マウスを左クリックして、そのときのポインタ位置に、文字列、定型句、文字属性、クリップボードの文字或いはイメージファイルを表示する（ステップＳ２５）。
【００４４】
図１１は、スクリーン上における文字列の表示例を示す図である。この図において、たとえば、前記の第一の機能のスタイルシートＡに従ってレイアウトされた投影画像１２の上には、“○○××△△”という文字列６２が表示されており、この文字列は、図１０のアプリケーション画面５１のテキストボックス５２に入力された文字列に相当する。スクリーン上のポインタ６０を動かすと、この文字列６２も一緒に移動するようになっており、所望の位置に来たときにマウスの左クリックを行うことにより、その位置に文字列６２を固定表示できるようになっている。
【００４５】
このように、本実施形態の第二の機能では、プロジェクタ７のスクリーン上に電子的に誰でも自由に文字や図形等を描画できるようにしたので、いままで手書きができなかったようなミーティングでも、手書きに準ずる操作ができるようになり、会議が活性化されるという利点が得られる。
【００４６】
なお、以上の説明では文字の描画を例にしたが、直線等の図形の描画もマウス操作をすることにより可能であることはいうまでもない。
【００４７】
＜本実施形態の第三の機能＞
さて、前記の第一の機能では、各パソコン２〜５からの画像をスタイルシートに従って適切にレイアウトする技術を提供し、また、前記の第二の機能では、スクリーン６の投影画像に文字列や図形等を電子的に書き込むことができる技術を提供した。これらの技術により、プロジェクタ７の使い勝手や利便性の格段の向上を望むことができるが、たとえば、投影画像のハードコピーに着目した場合、未だ改善の余地がある。
【００４８】
つまり、本実施形態のプロジェクタ７に係わらず、従来一般のプロジェクタにおいて、スクリーンに拡大投影された画像を記録保存するための技術としては、たとえば、前述の特許文献２に記載されているように、プロジェクタとパソコンとの１対１の利用を前提とした技術しか開示されておらず、前記の第一及び第二の機能のような１対多の利用を前提とした投影画像の記録保存技術は存在していなかった。
【００４９】
そこで、本実施形態の第三の機能では、プロジェクタとパソコンの１対多の利用においても、プロジェクタの投影画像を電子的にハードコピーして各パソコンに記録保存できる仕組みを提供する。
【００５０】
なお、本実施形態の第三の機能におけるシステム構成も、前記の第一の機能のものと同様であり、必要に応じて、前記の第一の機能の構成（図１、図２）を参照するものとする。
【００５１】
すなわち、第三の機能でもパソコン２〜５とプロジェクタ７をネットワークで接続（有線／無線どちらでも可能だが、ここでは無線とする。）する点で前記の第一の機能と同様であり、相違は、プロジェクタ７の投影画像を電子的にハードコピーして各パソコン２〜５に記録保存できるように構成した点にある。
【００５２】
図１２は、プロジェクタ７のＣＰＵ７ｂで実行される制御プログラムのフローを示す図である。この図において、まず、プロジェクタ７のパネル操作（又はリモコン操作）あるいは各パソコン２〜５からの遠隔操作によってハードコピーの指定が行われたか否かを判定する（ステップＳ３１）。そして、ハードコピーの指定が行われた場合は、投影画像をＲＡＭ７ｂに一時保存（ハードコピー）し（ステップＳ３２）、そのコピーデータを生成（ステップＳ３３）した後、コピーデータを各パソコン２〜５に送信する（ステップＳ３４）。
【００５３】
図１３は、コピーデータの構造例を示す図である。この図において、コピーデータは、いくつかの制御情報データファイル（ここではファイル０、ファイル１、ファイル２、ファイル３、ファイル４・・・・）からなり、各ファイルは、文字コード列１、文字描画座標１、フォントサイズ１、フォント色１・・・・といった文字情報データと、直線１描画始点、直線１描画終点、直線１線幅、直線１色・・・・といった直線情報データと、画像ファイル名１、表示位置１、倍率１、重なり優先度１・・・・といったイメージ情報データとを含む。
【００５４】
具体的には、ハードコピーしたい投影画面が得られた時点でリモコン等の操作し、たとえば、適当なメニューを表示して、そのメニュー内の特定項目（例：“画面をパソコンへ転送”）を選択することにより、プロジェクタ７で、図１３のスクリーンイメージ情報を生成してパソコン２〜５へネットワーク経由でデータ転送する。
【００５５】
以上のとおりであるから、本実施形態の第三の機能では、プロジェクタ７とパソコン２〜５との一対多の利用状況において、スクリーン６に拡大投影されている複数のパソコン２〜５の画面や文字描画、直線描画等のすべての情報を電子的にハードコピーして各パソコン２〜５に取り込み、記録保存することができるので、会議の進捗状況や議事録がリアルに残せるという利点がある。
【００５６】
この第三の機能では、ハードコピーの指定を、プロジェクタ７のパネル操作（又はリモコン操作）あるいは各パソコン２〜５からの遠隔操作によって行っているが、つまり、人為的に行っているが、これに限らず、たとえば、投影画像の変化（例：画素情報の変化や明るさの変化等）をモニタし、その変化が所定以上検出されたときに、自動的にハードコピーを行うようにしてもよい。このようにすると、いちいち手作業でコピーの指示を行う必要がなくなり、使い勝手を向上できるので好ましい。
【００５７】
なお、プロジェクタ７から各パソコン２〜５へのコピーデータの送信は、全ての各パソコン２〜５に同時に送信する一括配信であってもよいが、たとえば、バケツリレー方式で行うようにしてもよい。
【００５８】
図１４は、バケツリレー方式によるコピーデータの送信イメージ図である。この図において、プロジェクタ７から送信されたコピーデータは、経路６３を介して近くのパソコン（たとえば、パソコン２）にワイヤレス送信される。次いで、このパソコン２からパソコン３に経路６４を介してワイヤレス送信され、さらに、このパソコン３からパソコン４に経路６５を介してワイヤレス送信され、さらに、このパソコン４からパソコン５に経路６６を介してワイヤレス送信され、さらに、他のパソコンがあれば、そのパソコンに対しても経路６７を介して送信される。
【００５９】
このように、ネットワーク化された複数のパソコン２〜５間では、図１４に示すようにピアツーピアで順次にバケツリレー方式でハードコピー情報の転送をするようにすれば、ネットーワークに参加しているパソコン２〜５のすべてで情報の共有化を図ることができる。
【００６０】
なお、コピーデータの好ましい保存形式の一例については、前記の図１３で示したとおりであるが、これに限定されず、たとえば、ベクトル情報やビットマップ情報などの静止画形式であってもよく、あるいは、ＷＭＶなどの動画形式であってもよい。また、投影画像によっては、静止画形式で保存した方がよい場合と動画画形式で保存した方がよい場合とがあり得るが、このような場合を考慮して、静止画形式の保存と動画形式の保存とをユーザ選択できるようにしておくことが好ましい。そのためには、たとえば、前出の図１２のフロー図において、ステップＳ３１とステップＳ３２の間に、投影画像の保存形式をユーザ指定するためのステップを入れておき、ユーザ指定の結果に応じて、ステップＳ３２で静止画形式の保存と動画形式の保存とを選択的に行うようにすればよい。
【図面の簡単な説明】
【００６１】
【図１】実施形態の使用状態例を示す図である。
【図２】プロジェクタ７の簡略ブロックを示す図及びパソコン２〜５の簡略ブロックを示す図である。
【図３】第一の機能に係る制御プログラムの簡略フローを示す図である。
【図４】合成画像を示す図である。
【図５】複数のスタイルシートの例を示す図である。
【図６】スタイルシートの選択リストを示す図である。
【図７】スタイルシートを用いてレイアウトされた投影画像を示す図である。
【図８】画像の入れ替えを示す図である。
【図９】パソコン２〜５の表示部２ｃに表示されているアプリケーション画面を示す図である。
【図１０】アプリケーション画面５１を実行中のパソコン２〜５の動作フローを示す図である。
【図１１】スクリーン上における文字列の表示例を示す図である。
【図１２】プロジェクタ７のＣＰＵ７ｂで実行される制御プログラムのフローを示す図である。
【図１３】コピーデータの構造例を示す図である。
【図１４】バケツリレー方式によるコピーデータの送信イメージ図である。
【符号の説明】
【００６２】
２〜５  パソコン（端末）
７  プロジェクタ（投影装置）
７ａ  ワイヤレスインターフェース部（入力手段）
７ｂ  ＣＰＵ（レイアウト画像生成手段、出力手段、レイアウト変更手段、ポインタ表示手段）
７ｄ  ＲＡＭ（記録手段）
７ｆ  投影部（投影手段）
【図１】
2008118317.tif 000003
【図２】
2008118317.tif 000004
【図３】
2008118317.tif 000005
【図４】
2008118317.tif 000006
【図５】
2008118317.tif 000007
【図６】
2008118317.tif 000008
【図７】
2008118317.tif 000009
【図８】
2008118317.tif 000010
【図９】
2008118317.tif 000011
【図１０】
2008118317.tif 000012
【図１１】
2008118317.tif 000013
【図１２】
2008118317.tif 000014
【図１３】
2008118317.tif 000015
【図１４】
2008118317.tif 000016